【手続補正書】
【提出日】平成18年12月26日(2006.12.26)
【手続補正１】
【補正対象書類名】特許請求の範囲
【補正対象項目名】全文
【補正方法】変更
【補正の内容】
【特許請求の範囲】
【請求項１】
錠の鍵調整システムであって
シリンダ本体、
前記シリンダ本体に配置され、複数のピンと、前記複数のピンを再配置するための一対一で対応する複数のラックとを含むプラグ組立体、及び
錠シリンダにより定められるラック整合用工具受けアパーチャ、
を含む錠シリンダと、
基部プレート、及び、
複数の離間された細長いプロング、
を含むラック整合工具と、
を備え、
前記複数のプロング中の各々のプロングが、前記複数のラックの対応する１つと係合するようにされた第１の縦方向端部を含み、
該複数のプロング中の各々のプロングが、前記複数のラックの前記対応する１つの第１の所定の位置に再配置される長さ方向寸法にされ、前記第１の所定の位置が前記複数のラックの各々に共通であり、
該複数のプロング中の各々のプロングが、前記基部プレートに連結された第２の縦方向端部を含み、
前記ラック整合工具が、前記複数のピンと係合していない非係合位置にある前記複数のラックを含むキャリア組立体を拘束するようにされた、
ことを特徴とする錠の鍵調整システム。
【請求項２】
前記複数のプロングの各々が、実質的に同一の長さを有する請求項１に記載の錠の鍵調整システム。
【請求項３】
前記複数のプロングの挿入距離が、前記基部プレートと前記錠・シリンダとの接触により制約される請求項１に記載の錠の鍵調整システム。
【請求項４】
前記複数のラックの各々のラックにおいて、該ラックの縦方向軸が、該ラックの対応するピンの縦方向軸と平行であり、同軸ではない請求項１に記載の錠の鍵調整システム。
【請求項５】
前記プラグ組立体が、さらに、前記シリンダ本体の縦方向軸に対して平行に移動可能なキャリア組立体を含み、前記キャリア組立体が前記複数のラックを含む請求項１に記載の錠の鍵調整システム。
【請求項６】
各々のピンが、少なくとも１つの歯を含む請求項１に記載の錠の鍵調整システム。
【請求項７】
各々のラックが、少なくとも１つの歯を含む請求項１に記載の錠の鍵調整システム。
【請求項８】
各々のラックが、前記ラックの端部から所定の距離だけ離間された少なくとも１つの歯を含む請求項１に記載の錠の鍵調整システム。
【請求項９】
各々のラックが、前記ラックの端部から所定の距離だけ離間された少なくとも１つの歯を含み、前記距離が錠のブランドによって決まる請求項１に記載の錠の鍵調整システム。
【請求項１０】
各々のラックが、前記ラックの端部から所定の距離だけ離間された少なくとも１つの歯を含み、前記距離が製造業者のキーの深さによって決まる請求項１に記載の錠の鍵調整システム。
【請求項１１】
シリンダ本体及び前記シリンダ本体に配置され、複数のピンと前記ピンを再配置するための一対一で対応する複数のラックとを含むプラグ組立体を備える錠シリンダのための錠の鍵調整工具であって、前記錠シリンダは工具受けアパーチャを定めており、前記錠の鍵調整工具が、
第１の面と、前記第１の面と対向する第２の面とを定める基部プレート、及び、
複数の離間された細長いプロング、
を含み、前記複数のプロング中の各々のプロングが、前記プロングの第１の部分に配置され、前記複数のラックの対応する１つと係合するようにされた凹状の第１の縦方向端部を含み、該複数のプロング中の各々のプロングが、縦方向軸を定め、該複数のラックの対応する１つの第１の所定の位置に再配置される長さ方向寸法にされ、前記第１の所定の位置が該複数のラックの各々に共通であり、該複数のプロングの中の各々のプロングが、前記プロングの第２の部分に配置され、前記基部プレートに連結された第２の縦方向端部を含み、前記第２の部分が、前記第１の部分より広幅の軸方向断面を有しており、
ハンドルが前記基部プレートの前記第２の面に連結された、
ことを特徴とする錠の鍵調整工具。
【請求項１２】
前記プロングの各々が、前記第１の面に対して垂直に連結された請求項１１に記載の錠の鍵調整工具。
【請求項１３】
前記複数のプロングの各々が、実質的に同一の長さを有する請求項１１に記載の錠の鍵調整工具。
【請求項１４】
前記第１の面が前記第２の面に対して平行である請求項１１に記載の錠の鍵調整工具。
【請求項１５】
前記基部プレートが環体のセグメントを定める請求項１１に記載の錠の鍵調整工具。
【請求項１６】
前記ハンドルが前記基部プレートの前記第２の面に対して垂直に連結された請求項１１に記載の錠の鍵調整工具。
【請求項１７】
シリンダ本体及び前記シリンダ本体に配置されたプラグ組立体を含み、前記プラグ組立体が複数のピンと前記ピンを再配置するための一対一で対応する複数のラックとを含み、錠シリンダが工具受けアパーチャを定める構成の錠シリンダにおいて鍵調整する方法であって、
前記複数のラックが前記複数のピンと係合されていない間に、
前記複数のラックを第１の所定の高さに整合する工程、
前記複数のラックを前記第１の所定の高さに整合した後、キーを前記プラグ組立体の中に挿入し、前記複数のピンが前記キーにより再配置される工程、及び、
前記キーを前記プラグ組立体の中に挿入した後、前記複数のラックを前記複数のピンと係合させる工程、
を含むことを特徴とする方法。
【請求項１８】
キャリアの場所を移すための工具を前記プラグ組立体の面における開口部に挿入する工程をさらに含む請求項１７に記載の錠シリンダを鍵調整する方法。
【請求項１９】
複数のラックと係合するようにされたキャリアを第１の位置から第２の位置に移動する、
という工程をさらに含む請求項１７に記載の錠シリンダを鍵調整する方法。
【請求項２０】
ラック整合工具を前記工具受けアパーチャの中に挿入する、
という工程をさらに含む請求項１７に記載の錠シリンダを鍵調整する方法。
【請求項２１】
キャリアの場所を移すための工具を前記プラグ組立体の面における開口部から除去する、
という工程をさらに含む請求項１７に記載の錠シリンダを鍵調整する方法。
【請求項２２】
前記複数のラックの各々を、キャリアにより定められた前記複数のスロットの中の一対一で対応するスロット内に置く、
工程をさらに含む請求項１７に記載の錠シリンダを鍵調整する方法。
【請求項２３】
ラック整合工具を前記工具受けアパーチャから除去する、
工程をさらに含む請求項１７に記載の錠シリンダを鍵調整する方法。
【請求項２４】
前記複数のピンの中の各々のピンを前記キーの対応する平らな部分と整合する、
工程をさらに含む請求項１７に記載の錠シリンダを鍵調整する方法。
【請求項２５】
キャリアを第２の位置から第１の位置に移動させる、
工程をさらに含む請求項１７に記載の錠シリンダを鍵調整する方法。
【請求項２６】
前記キーを学ばせる、
工程をさらに含む請求項１７に記載の錠シリンダを鍵調整する方法。
【請求項２７】
シリンダ本体と前記シリンダ本体に配置されたプラグ組立体とを含み、前記プラグ組立体が、少なくとも１つのピン及び前記少なくとも１つのピンを再配置するための少なくとも１つの対応するラックを含み、錠シリンダが工具受けアパーチャを定める構成の錠シリンダを鍵調整する方法であって、
前記錠シリンダにより構成され、少なくとも１つのラックを係合するようにされたキャリアを、第１の位置から第２の位置に移動する工程、
ラック整合工具を前記工具受けアパーチャの中に挿入する工程、
前記少なくとも１つのラックを、前記キャリアにより定められる少なくとも１つの対応するスロット内に受け取る工程、
キーを前記プラグ組立体の中に挿入する工程、
前記キャリアを前記第２の位置から前記第１の位置に移動させる工程、及び、
前記少なくとも１つのラックを、前記複数のピンの中の対応するピンと係合させる工程、
を含むことを特徴とする方法。
【請求項２８】
前記キーを学ばせる、
工程をさらに含む請求項２７に記載の錠シリンダを鍵調整する方法。
【請求項２９】
ラック整合工具を前記工具受けアパーチャから除去する、
工程をさらに含む請求項２７に記載の錠シリンダを鍵調整する方法。
【請求項３０】
前記ラック整合工具が、
基部プレート、及び、
複数の離間された細長いプロング、
を含み、前記複数のプロング中の各々のプロングが、前記少なくとも１つのラックの対応する１つと係合するようにされた第１の縦方向端部を含み、該複数のプロング中の各々のプロングが、前記少なくとも１つのラックの前記対応する１つの第１の所定の位置に再配置される長さ方向寸法にされ、前記第１の所定の位置が前記少なくとも１つのラックの各々に共通であり、該複数のプロングの中の各々のプロングが、前記基部プレートに連結された第２の縦方向端部を含む、請求項２７に記載の錠シリンダを鍵調整する方法。
【請求項３１】
前記ラック整合工具が、
基部プレート、及び、
複数の離間された細長いプロング、
を含み、前記複数のプロング中の各々のプロングが、前記少なくとも１つのラックの対応する１つと係合するようにされた第１の縦方向端部を含み、該複数のプロング中の各々のプロングが、前記ラックの前記対応する１つの第１の所定の位置に再配置される長さ方向寸法にされ、前記第１の所定の位置が前記少なくとも１つのラックの各々に共通であり、該複数のプロング中の各々のプロングが、前記基部プレートに連結された第２の縦方向端部を含み、
前記ラック整合工具が、前記少なくとも１つのラックと係合可能なキャリアを非係合位置に拘束するようにする、
請求項２７に記載の錠シリンダを鍵調整する方法。